(57)【要約】【課題】ＣＣＤの出力信号が急激に変化した場合であっても、ＣＤＳ回路の出力信号のレベルが過渡的に劣化することを防止するアナログ信号処理回路、及びアナログ信号処理回路を有する撮像装置を提供する。【解決手段】アナログ信号処理回路２１０は、外付けの入力カップリングコンデンサを介して、ＣＣＤから出力されるフィードスルー期間と信号期間とを有するＣＣＤ出力信号を入力端子１に入力される。アナログ信号処理回路２１０は、外付けの入力カップリングコンデンサと共に積分回路を構成する入力インピーダンス２と、入力インピーダンスに接続された基準電圧源３と、フィールドスルー期間における入力端子の電圧レベルを基準電圧ＶＲＥＦに保つＤＣフィードバック回路５と、ＣＣＤ出力信号のフィードスルー期間における電圧レベルとＣＣＤ出力信号の信号期間における電圧レベルとの差に基づいて、出力信号を生成するＣＤＳ回路４と、を有する。【選択図】図２
2008124713.tif 000002
【特許請求の範囲】
【請求項１】
ＣＣＤから出力されるフィードスルー期間と信号期間とを有するＣＣＤ出力信号を外付けの入力カップリングコンデンサを介して入力する入力端子と、
前記ＣＣＤ出力信号のフィードスルー期間における電圧レベルと、前記ＣＣＤ出力信号の信号期間における電圧レベルとの差に基づいて、出力信号を生成するＣＤＳ回路と、
前記入力カップリングコンデンサと共に積分動作を行う入力インピーダンスと、
前記入力インピーダンスに接続された基準電圧源と、
前記フィールドスルー期間における前記入力端子の電圧レベルを前記基準電圧源の電圧に維持するＤＣフィードバック回路と、
を有するアナログ信号処理回路。
【請求項２】
前記ＤＣフィードバック回路は、
前記入力端子と前記ＣＤＳ回路との間に一端を接続された第１のスイッチと、
前記第１のスイッチの他端と非反転入力端子とを接続され、反転入力端子と出力端子とを接続されたバッファ回路と、
前記第１のスイッチと前記バッファ回路との接続点とグランド電位との間に接続された第１のコンデンサと、
前記バッファ回路の出力端子に一端を接続された第２のスイッチと、
前記第２のスイッチの他端を反転入力端子に接続され、非反転入力端子を前記入力インピーダンスと前記基準電圧源との間に接続され、出力端子を前記入力端子と前記ＣＤＳ回路との間に接続されたコンパレータと、
前記第２のスイッチと前記コンパレータとの接続点に一端を接続され、他端をグランド電位に接続された第２のコンデンサと、
を有する請求項１に記載のアナログ信号処理回路。
【請求項３】
ＣＣＤ出力信号を生成するＣＣＤと、
パルス信号を生成するパルス信号発生器と、
前記パルス信号に基づいて動作し、前記ＣＣＤ出力信号を処理する請求項１又は請求項２に記載のアナログ信号処理回路と、
前記アナログ信号処理回路から出力される信号を処理するＤＳＰと、
を有する撮像装置。
【請求項４】
前記ＣＣＤと前記アナログ信号処理回路は、同一のＩＣチップで形成される、請求項３に記載の撮像装置。
【請求項５】
前記パルス信号発生器と前記アナログ信号処理回路は、同一のＩＣチップで形成される請求項３に記載の撮像装置。
【請求項６】
前記ＤＳＰと前記アナログ信号処理回路は、同一のＩＣチップで形成される、請求項３に記載の撮像装置。
【発明の詳細な説明】
【技術分野】
【０００１】
本発明は、デジタルスチルカメラ等に用いられるＣＣＤ（Charge Coupled Device）から出力される信号を処理するアナログ信号処理回路、及びそのようなアナログ信号処理回路を用いた撮像装置に関する。
【背景技術】
【０００２】
デジタルスチルカメラ、ビデオカメラ、携帯電話及び監視カメラ等の撮像装置は、ＣＣＤと、ＣＣＤから出力されるＣＣＤ出力信号を処理するアナログ信号処理回路と、を有する。特許文献１に記載のアナログ信号処理回路を図５に示す。図５に示すように、アナログ信号処理回路５１０は、ＣＣＤ出力信号を外付けの入力カップリングコンデンサＣｉｎを介して入力端子１に入力される。
【０００３】
入力端子１とＣＤＳ（Correlated Double Sampling）回路４との間には、入力インピーダンス２の一端が接続され、入力インピーダンス２の他端とグランド電位との間に基準電圧源３が接続される。入力端子１の電位は、入力カップリングコンデンサＣｉｎと入力インピーダンス２とのＲＣ積分動作により決まる。
【０００４】
ＣＤＳ回路４は、アナログ信号処理回路５１０と同一のＩＣチップに形成されるパルス信号発生器（図示せず）が生成するパルス信号Ｐに基づいて動作し、入力端子１に入力された信号から信号成分のみを抽出して、出力信号ｃを生成する。
【０００５】
図６に、図５に示す従来のアナログ信号処理回路の動作波形を示す。ＣＣＤ出力信号は、通常、１画素毎に、１画素の区切りを示すためのリセットパルス期間と、基準となる電圧レベルを示すためのフィードスルー期間と、信号成分を示すための信号期間とを含むが、動作説明をわかりやすくするために、図６（ａ）に示すＣＣＤ出力信号は、リセットパルス期間の信号が省略された波形になっている。
【０００６】
図６（ａ）に示すＣＣＤ出力信号の信号期間の信号成分がないとき、入力カップリングコンデンサＣｉｎと入力インピーダンス２とのＲＣ積分動作の積分中心の電位は基準電圧ＶＲＥＦになる。すなわち、図６（ｃ）に示すように入力端子１の電位は基準電圧ＶＲＥＦになる。信号期間の信号成分があるときのフィールドスルー期間における入力端子１の電位は、ＲＣ積分動作により、ＣＣＤ出力信号の信号成分の電圧レベルによって変動し、図６（ｃ）に示すように基準電圧ＶＲＥＦより高い電圧になる。
【０００７】
ＣＤＳ回路４は、図６（ｂ）に示すパルス信号Ｐの立ち上がりのタイミングでＣＣＤ出力信号の基準となる電圧レベルをサンプリングし、パルス信号Ｐの立ち下がりのタイミングでＣＣＤ出力信号の信号成分の電圧レベルをサンプリングし、ＣＣＤ出力信号の基準の電圧レベルと信号成分の電圧レベルとの差に基づいて、ＣＣＤ出力信号から信号成分を抽出する。図６（ｅ）に示すように、ＣＤＳ回路４は、パルス信号Ｐの立ち下がりのタイミングで抽出した信号成分を含む出力信号ｃを出力し、パルス信号Ｐの立ち上がりのタイミングで出力信号ｃを所定の電圧レベルに戻す。通常、ＣＤＳ回路４は、差動アンプ等を用いて信号成分を抽出し、増幅する。このとき、図６（ｅ）に示すように、極性が反転されて、出力信号ｃが出力される。
【特許文献１】特開平３−２２６１８４号公報
【発明の開示】
【発明が解決しようとする課題】
【０００８】
ＣＣＤ出力信号が急激に変化したとき、例えば図６（ａ）に示すように、信号期間の信号成分がない状態から信号成分がある状態に変化したとき、入力カップリングコンデンサＣｉｎと入力インピーダンス２とのＲＣ積分動作により、入力端子１のフィールドスルー期間の電圧レベルは徐々に基準電圧ＶＲＥＦより高くなる。フィールドスルー期間の電圧レベルが変動している間、ＣＤＳ回路４がサンプリングするフィードスルー期間の電圧レベルと信号期間の電圧レベルとが変化し続ける。このとき、図６（ｄ）に示すように、入力端子１の電圧波形から本来の信号成分を差し引いた波形、すなわちＣＣＤ出力信号の基準となる電圧レベルは、徐々に上昇する。そのため、パルス信号Ｐの立ち上がりと立ち下がりのタイミングとでは、基準となる電圧レベルが異なってしまう。この基準となる電圧レベルの差が信号成分を抽出する際に影響するため、フィードスルー期間の電圧レベルと信号期間の電圧レベルとの差により生成されるＣＤＳ回路４の出力信号ｃは、図６（ｅ）の範囲Ｙに示すように本来の信号成分のレベルに応じた値にならない。このように、従来のアナログ信号処理回路では、ＣＣＤの出力信号が急激に変化した場合、フィードスルー期間の電圧レベルが一定になるまでの間、ＣＤＳ回路の出力信号ｃのレベルが過渡的に劣化してしまうという問題があった。
【０００９】
本発明は、上記従来の問題を解決するものであって、ＣＣＤの出力信号が急激に変化した場合であっても、ＣＤＳ回路の出力信号のレベルが過渡的に劣化することを防止するアナログ信号処理回路、及びアナログ信号処理回路を有する撮像装置を実現することを目的とする。
【課題を解決するための手段】
【００１０】
本発明のアナログ信号処理回路は、ＣＣＤから出力されるフィードスルー期間と信号期間とを有するＣＣＤ出力信号を外付けの入力カップリングコンデンサを介して入力する入力端子と、ＣＣＤ出力信号のフィードスルー期間における電圧レベルと、ＣＣＤ出力信号の信号期間における電圧レベルとの差に基づいて、出力信号を生成するＣＤＳ回路と、入力カップリングコンデンサと共に積分動作を行う入力インピーダンスと、入力インピーダンスに接続された基準電圧源と、フィールドスルー期間における入力端子の電圧レベルを基準電圧源の電圧に維持するＤＣフィードバック回路と、を有する。
【００１１】
上記ＤＣフィードバック回路は、入力端子とＣＤＳ回路との間に一端を接続された第１のスイッチと、第１のスイッチの他端と非反転入力端子とを接続され、反転入力端子と出力端子とを接続されたバッファ回路と、第１のスイッチとバッファ回路との接続点とグランド電位との間に接続された第１のコンデンサと、バッファ回路の出力端子に一端を接続された第２のスイッチと、第２のスイッチの他端を反転入力端子に接続され、非反転入力端子を入力インピーダンスと基準電圧源との間に接続され、出力端子を入力端子とＣＤＳ回路との間に接続されたコンパレータと、第２のスイッチとコンパレータとの接続点に一端を接続され、他端をグランド電位に接続された第２のコンデンサと、を有しても良い。
【００１２】
本発明の撮像装置は、ＣＣＤ出力信号を生成するＣＣＤと、パルス信号を生成するパルス信号発生器と、パルス信号に基づいて動作し、ＣＣＤ出力信号を処理するアナログ信号処理回路と、アナログ信号処理回路から出力される信号を処理するＤＳＰと、を有する。
【００１３】
ＣＣＤとアナログ信号処理回路は、同一のＩＣチップで形成されても良い。パルス信号発生器とアナログ信号処理回路は、同一のＩＣチップで形成されても良い。ＤＳＰとアナログ信号処理回路は、同一のＩＣチップで形成されても良い。
【発明の効果】
【００１４】
本発明のアナログ信号処理回路によれば、ＣＣＤの出力信号が急激に変化した場合であっても、フィールドスルー期間における入力端子の電圧を一定にすることにより、信号期間における基準の電圧レベルがフィールドスルー期間における基準の電圧レベルと同じ値になるため、ＣＤＳ回路の出力信号のレベルが過渡的に劣化することを防止することができる。
【発明を実施するための最良の形態】
【００１５】
以下、本発明の実施形態について、図面を参照しながら説明する。
【００１６】
［撮像装置の構成］
図１に、本発明の実施形態の撮像装置を示す。本発明の撮像装置は、ＣＣＤ出力信号を生成するＣＣＤ１００と、ＣＣＤ１００に接続された入力カップリングコンデンサＣｉｎと、入力カップリングコンデンサＣｉｎを介して入力されたＣＣＤ出力信号を処理してデジタル信号に変換するアナログフロントエンド２００とを有する。
【００１７】
アナログフロントエンド２００は、入力カップリングコンデンサＣｉｎを介して入力されたＣＣＤ出力信号を処理してアナログ信号を出力するアナログ信号処理回路２１０と、アナログ信号処理回路２１０から出力されるアナログ信号をデジタル信号に変換するＡ／Ｄ変換器２２０とを有する。
【００１８】
本発明の撮像装置は、アナログフロントエンド２００の出力信号を入力して、ＹＵＶ信号の生成等を行うＤＳＰ（Digital Signal Processor）３００と、各種パルス信号を生成して、ＣＣＤ１００、アナログ信号処理回路２１０、及びＤＳＰ３００に出力するパルス信号発生器４００と、をさらに有する。本実施形態において、パルス信号発生器４００は、アナログ信号処理回路２１０の動作タイミングを制御するためのパルス信号Ａ，Ｂ，Ｐを生成し、アナログ信号処理回路２１０に出力する。アナログフロントエンド２００とパルス信号発生器４００は、同一のＩＣチップで形成される。
【００１９】
［アナログ信号処理回路の内部構成］
図２に、アナログ信号処理回路２１０の内部構成を示す。アナログ信号処理回路２１０は、図１に示す外付けの入力カップリングコンデンサＣｉｎを介してＣＣＤ出力信号を入力される入力端子１と、図１に示すパルス信号発生器４００が生成するパルス信号Ｐに基づいて動作し、入力端子１に入力された信号から所望の信号成分のみを抽出して増幅することにより出力信号ｃを生成するＣＤＳ回路４とを有する。
【００２０】
ＣＣＤ出力信号は、１画素毎に、１画素の区切りを示すリセットパルス期間、基準となる電圧レベルを示すためのフィールドスルー期間、及び信号成分の電圧レベルを示すための信号期間を含む。フィールドスルー期間と信号期間におけるＣＣＤ出力信号には、ＣＣＤ１００内の受光部において検出された光電荷が増幅されるときに生じるアンプ雑音やＣＣＤ１００内の電荷検出用差動アンプのリセット時に発生するリセット雑音等の雑音が含まれる。
【００２１】
ＣＤＳ回路４は、差動アンプ等を用いて、信号期間における電圧レベルからフィールドスルー期間における電圧レベルを差し引くことにより、ＣＣＤ出力信号に含まれる雑音を除去し、信号成分のみを抽出し、増幅して出力する。また、ＣＤＳ回路４は、極性を反転させて出力信号ｃを出力する。
【００２２】
入力端子１とＣＤＳ回路４との間に、入力インピーダンス２の一端が接続され、入力インピーダンス２の他端に、基準電圧ＶＲＥＦを出力する基準電圧源３の一端が接続される。基準電圧源３の他端は、グランド電位に接続される。入力インピーダンス２は、図１に示す入力カップリングコンデンサＣｉｎと共にＲＣ積分回路を構成する。
【００２３】
アナログ信号処理回路２１０は、さらに、ＤＣフィードバック回路５を有する。ＤＣフィードバック回路５は、ＣＣＤ出力信号のフィールドスルー期間における入力端子１の電圧を一定にする。
【００２４】
［ＤＣフィードバック回路の内部構成］
ＤＣフィードバック回路５において、スイッチ６は入力端子１とＣＤＳ回路４との間に一端を接続され、他端をバッファ回路８の非反転入力端子に接続される。スイッチ６は、パルス信号発生器４００が生成するパルス信号Ａに基づいて、オン／オフを切り替える。本実施形態において、パルス信号ＡがＨｉｇｈの期間にスイッチ６はオンし、パルス信号ＡがＬｏｗの期間にスイッチ６はオフする。
【００２５】
バッファ回路８の反転入力端子は出力端子に接続される。コンデンサＣ１は、スイッチ６とバッファ回路８の非反転入力端子との間に一端を接続され、他端をグランド電位に接続される。
【００２６】
スイッチ７は、バッファ回路８の出力端子とコンパレータ９の反転入力端子との間に接続される。スイッチ７は、パルス信号発生器４００が生成するパルス信号Ｂに基づいて、オン／オフを切り替える。本実施形態において、パルス信号ＢがＨｉｇｈの期間にスイッチ７はオンし、パルス信号ＢがＬｏｗの期間にスイッチ７はオフする。コンデンサＣ２は、一端をスイッチ７とコンパレータ９の反転入力端子との間に接続され、他端をグランド電位に接続される。
【００２７】
コンパレータ９の非反転入力端子は、基準電圧源３と入力インピーダンス２との間に接続され、コンパレータ９の出力端子は、入力端子１とＣＤＳ回路４との間に接続される。
【００２８】
ＤＣフィードバック回路５において、バッファ回路８の出力端子とスイッチ７との接続点を接続点ａとし、スイッチ回路７とコンパレータ９の反転入力端子とコンデンサＣ２との接続点を接続点ｂとする。
【００２９】
［アナログ信号処理回路の動作］
図３（ａ）にＣＣＤ出力信号の波形、図３（ｂ）にパルス信号Ａの波形、図３（ｃ）にＤＣフィードバック回路５の接続点ａにおける電圧の波形、図３（ｄ）にパルス信号Ｂの波形、及び図３（ｅ）にＤＣフィードバック回路５の接続点ｂにおける電圧の波形を示す。図３（ａ）に示すように、フィールドスルー期間における電圧値は基準電圧ＶＲＥＦに等しい。
【００３０】
パルス信号ＡがＨｉｇｈの期間、スイッチ６がオンすると、接続点ａの電圧は入力端子１に入力されるＣＣＤ出力信号をモニターした値となり、図３（ｃ）に示すようにＣＣＤ出力信号のリセットパルス期間の一部とフィールドスルー期間の一部とを含んだ波形になる。パルス信号ＡがＬｏｗになり、スイッチ６がオフすると、スイッチ６がオフしたときの電圧値が保持されるため、接続点ａの電圧は基準電圧ＶＲＥＦのままとなる。
【００３１】
パルス信号ＢがＨｉｇｈの期間、スイッチ７がオンすると、接続点ｂの電圧は接続点ａの電圧と等しくなる。スイッチ７がオンの間、接続点ａの電圧は図３（ｃ）に示すように基準電圧ＶＲＥＦを保持しているため、接続点ｂの電圧は基準電圧ＶＲＥＦになる。パルス信号ＡがＬｏｗになり、スイッチ７がオフすると、スイッチ７がオフしたときの電圧値が保持されるため、接続点ｂの電圧は基準電圧ＶＲＥＦのままとなる。このように、接続点ｂの電圧は、図３（ｅ）に示すように、スイッチ７がオンのときとオフのときを含めて常に基準電圧ＶＲＥＦになる。
【００３２】
図４（ａ）にＣＣＤ出力信号の波形、図４（ｂ）にパルス信号Ｐの波形、図４（ｃ）にアナログ信号処理回路２１０の入力端子１の電圧波形、図４（ｄ）に参考のために示した入力端子１の波形から本来の信号成分を差し引いた波形、及び図４（ｅ）にＣＤＳ回路４の出力信号ｃの波形を示す。図４（ａ）のＣＣＤ出力信号の波形は、説明を簡単にするために、リセットパルス期間の信号を省略している。
【００３３】
図２に示すＣＤＳ回路４は、図４（ｂ）に示すパルス信号Ｐの立ち上がりのタイミングでＣＣＤ出力信号の基準となる電圧レベルをサンプリングし、パルス信号Ｐの立ち下がりのタイミングでＣＣＤ出力信号の信号成分の電圧レベルをサンプリングし、ＣＣＤ出力信号の基準の電圧レベルと信号成分の電圧レベルとの差に基づいて、ＣＣＤ出力信号から信号成分を抽出する。ＣＤＳ回路４は、パルス信号Ｐの立ち下がりのタイミングで抽出した信号成分を含む出力信号ｃを出力し、パルス信号Ｐの立ち上がりのタイミングで出力信号ｃを所定の電圧レベルに戻す。ＣＣＤ出力信号の信号期間の信号成分がない間は、ＣＣＤ出力信号の基準の電圧レベルと信号成分の電圧レベルとの差がないため、ＣＤＳ出力信号ｃは一定の値となる。
【００３４】
信号成分が含まれるＣＣＤ出力信号が入力され始めると、図１に示す入力カップリングコンデンサＣｉｎと図２に示す入力インピーダンス２とのＲＣ積分動作により、フィールドスルー期間における入力端子１の電圧は変動しようとするが、コンパレータ９と入力インピーダンス２とにより入力端子１の電圧は基準電圧ＶＲＥＦに維持される。よって、フィールドスルー期間における入力端子１の電圧は、図４（ｃ）に示すようにＣＣＤ出力信号の信号期間の電圧レベルに関係なく、常に基準電圧ＶＲＥＦに保たれる。
【００３５】
信号成分が含まれるＣＣＤ出力信号が入力され始めると、ＣＤＳ回路４は、パルス信号Ｐの立ち上がりのタイミングで、ＣＣＤ出力信号の基準の電圧レベルとして、フィールドスルー期間における基準電圧ＶＲＥＦをサンプリングし、パルス信号Ｐの立ち下がりのタイミングでＣＣＤ出力信号の信号成分の電圧レベルをサンプリングし、基準電圧ＶＲＥＦと信号成分の電圧レベルとの差に基づいて、出力信号ｃを生成する。
【００３６】
フィールドスルー期間における入力端子１の電圧が、ＣＣＤ出力信号が信号成分を含むか否かに関わらず、常に変化しないため、信号成分を含むＣＣＤ出力信号が入力端子１に入力されるようになった後も、パルス信号Ｐの立ち上がりのタイミングと立ち下がりのタイミングにおけるＣＣＤ出力信号の基準となる電圧レベルは図４（ｄ）に示すように同じである。よって、ＣＤＳ回路４は、信号成分を含むＣＣＤ出力信号が入力端子１に入力されるようになった直後でも、フィールドスルー期間における基準電圧ＶＲＥＦと信号期間の信号成分の電圧との差に基づいて、図４（ｅ）の範囲Ｘに示すように、本来の信号成分の電圧レベルに基づいた出力信号ｃを生成することができる。
【００３７】
以上のように、本実施形態によれば、ＤＣフィードバック回路５が入力端子１の電圧をモニターして、フィールドスルー期間における入力端子１の電圧が変動しないように制御する。これにより、ＣＣＤ出力信号が急激に変化した場合、例えばＣＣＤ出力信号が信号成分のない状態から信号成分を含む状態に変化した場合であっても、入力端子１のフィールドスルー期間の電圧を一定に保つことができる。これにより、信号成分を含むＣＣＤ出力信号が入力端子１に入力され始めた直後であっても、パルス信号Ｐの立ち上がり時におけるＣＣＤ出力信号の基準となる電圧レベルと、パルス信号Ｐの立ち下がり時におけるＣＣＤ出力信号の基準となる電圧レベルとは、図４（ｄ）に示すように同じである。よって、信号成分を含むＣＣＤ出力信号が入力端子１に入力され始めた後も、ＣＣＤ出力信号のフィールドスルー期間の電圧レベルと信号期間の電圧レベルとの差をもとめることにより、本来の信号成分に基づいた出力信号ｃを生成することができる。このように、ＤＣフィードバック回路５がフィールドスルー期間における入力端子１の電圧が変動しないように制御することにより、ＣＤＳ回路４が出力するＣＤＳ出力信号ｃの電圧レベルが過渡的に劣化することを防止することができる。これにより、図４（ｅ）に示すようにＣＤＳ出力信号ｃに基づいてＤＳＰ３００が画像処理を行っても正常に映像を出力することができ、例えば映像の暗いところと明るいところの境界線がぼやけなくなる。
【００３８】
なお、本実施形態においては、アナログフロントエンド２００とパルス信号発生器４００は同一のＩＣチップで形成されるとしたが、同一のＩＣチップに組み込むかどうかは任意に決めることができる。例えば、アナログフロントエンド２００とパルス信号発生器４００は別々のＩＣチップで形成されても良い。また、図１に示すＣＣＤ１００がアナログフロントエンド２００と同一のＩＣチップで形成されても良いし、ＤＳＰ３００がアナログフロントエンド２００と同一のＩＣチップで形成されても良い。図１に示す撮像装置の構成要素のいずれが同一のＩＣチップに組み込まれるかは任意に決めることができ、例えば図１に示す撮像装置の構成要素の全てが同一のチップで形成されても良い。
【産業上の利用可能性】
【００３９】
本発明のアナログ信号処理回路によれば、ＣＣＤの出力信号が急激に変化した場合であってもＣＤＳ回路の出力信号のレベルが過渡的に劣化することを防止することができるという効果を有し、デジタルスチルカメラ、ビデオカメラ、携帯電話及び監視カメラ等の各種の撮像装置に有用である。
【図面の簡単な説明】
【００４０】
【図１】本発明の撮像装置を示すブロック図
【図２】図１に示すアナログ信号処理回路の内部回路を示す図
【図３】図２に示すＤＣフィードバック回路の動作波形を示す図
【図４】図１に示すアナログ信号処理回路の動作波形を示す図
【図５】従来のアナログ信号処理回路の内部回路を示す図
【図６】従来のアナログ信号処理回路の動作波形を示す図
【符号の説明】
【００４１】
１          入力端子
２          入力インピーダンス
３          基準電圧源
４          ＣＤＳ回路
５          ＤＣフィードバック回路
６、７      スイッチ
８          バッファ回路
９          コンパレータ
１００      ＣＣＤ
２００      アナログフロントエンド
２１０      アナログ信号処理回路
２２０      Ａ／Ｄ変換器
３００      ＤＳＰ
４００      パルス信号発生器
Ｃ１、Ｃ２  コンデンサ
Ｃｉｎ      入力カップリングコンデンサ
【図１】
2008124713.tif 000003
【図２】
2008124713.tif 000004
【図３】
2008124713.tif 000005
【図４】
2008124713.tif 000006
【図５】
2008124713.tif 000007
【図６】
2008124713.tif 000008